(57)【特許請求の範囲】
【請求項１】
撮像手段の出力に基づくアナログ映像信号を所定の規格よりも多い量子化数でアナログデイジタル変換し、得られたデイジタル映像信号を所定の信号処理を施した後、上記所定の信号処理が施された上記デイジタル映像信号をそのビツトアサインを上記規格に応じたビツトアサインに変換して出力するビデオカメラ装置において、
上記アナログ映像信号を上記デイジタル映像信号にアナログデイジタル変換するアナログデイジタル変換手段と、
上記所定の信号処理が施された上記デイジタル映像信号を所定ビツトだけビツトシフトして元の上記所定の信号処理が施された上記デイジタル映像信号に加算して出力する加算手段と
を具えることを特徴とするビデオカメラ装置。
【請求項２】
上記アナログデイジタル変換手段の前段に配置され、上記アナログ映像信号の所定レベル以上の高輝度成分を圧縮処理する圧縮手段を具える
ことを特徴とする請求項１に記載のビデオカメラ装置。
【請求項３】
上記加算手段は、上記所定の信号処理が施された上記デイジタル映像信号を１ビツトだけビツトシフトして元の上記所定の信号処理が施された上記デイジタル映像信号に加算する
ことを特徴とする請求項１に記載のビデオカメラ装置。
【発明の詳細な説明】
【０００１】
【目次】
以下の順序で本発明を説明する。
【０００２】
発明の属する技術分野
従来の技術（図５〜図７）
発明が解決しようとする課題（図５〜図９）
課題を解決するための手段（図１〜図４）
発明の実施の形態
（１）第１の実施の形態
（１−１）第１の実施の形態によるデイジタルビデオカメラの構成（図１及び図２）
（１−２）第１の実施の形態の動作及び効果（図１及び図２）
（２）第２の実施の形態
（２−１）第２の実施の形態によるデイジタルビデオカメラの構成（図１〜図４）
（２−２）第２の実施の形態の動作及び効果（図１〜図４）
（３）他の実施の形態（図１〜図４）
発明の効果
【０００３】
【発明の属する技術分野】
本発明はビデオカメラ装置に関し、例えばデイジタルビデオカメラに適用して好適なものである。
【０００４】
【従来の技術】
従来、デイジタルビデオカメラでは必要とされる出力が規格によつて決まつていることが多く、例えばＳＭＰＴＥ（Society of Motion Picture and Television Engineers）  ２５９Ｍ規格では量子化数が10〔bit 〕の場合、図５に示すように、映像信号のレベルが０〔％〕は16進法で「40」、100 〔％〕は同じく16進法で「３ＡＣ」と決められている。
【０００５】
このようなデイジタルビデオカメラでは、ニー処理と呼ばれる高輝度を圧縮して撮像素子のダイナミツクレンジを生かす信号処理を行う回路があるために撮像素子として最大出力が100 〔％〕以上のものが用いられており、またガンマ処理と呼ばれる非線形処理によつて０〔％〕付近の信号が増幅されるため、ダイナミツクレンジ方向にも分解能方向にもビツト数を割り振る必要がある。このため例えば出力が10ビツトの場合にはアナログデイジタルコンバータとして10ビツト以上のものを用いることが望まれる。
【０００６】
そしてこの場合、必要とされるビツト数のアナログデイシタルコンバータを用いることができれば何ら問題はないが、現実的には費用や消費電力等の技術的な問題から限られたものしか使用することができない。
【０００７】
このためデイジタルビデオカメラでは、従来、アナログデイジタルコンバータとして対応する規格の量子化ビツト数以上のビツト数のものを使用し、出力ビツトに対して残りのビツトをダイナミツクレンジ方向及び分解能方向の両方に割り振るようにしている。因に、ＳＭＰＴＥ  ２５９Ｍ規格に対応したデイジタルビデオカメラにおいて、アナログデイジタルコンバータとして12ビツトのものを用い、出力の10ビツトに対して残り２ビツトをダイナミツクレンジ方向及び分解能方向の両方に１ビツトずつ割り振つた場合、ダイナミツクレンジを２倍、量子化誤差を半分にすることができる。
【０００８】
ここで図６は、ＣＣＤ（Charge Coupled Device ）３から出力される撮像信号Ｓ１を出力の規格と同じ量子化ビツト数及びビツトアサインで信号処理し得るようになされた、例えばＳＭＰＴＥ  ２５９Ｍ等の規格に対応し得るデイジタルビデオカメラの構成例を示すものである。
【０００９】
かかる構成のデイジタルビデオカメラ１においては、レンズ２を介してＣＣＤ３（ダイナミツクレンジが600 〔％〕とする）に入射する被写体の光学像を当該ＣＣＤ３において光電変換し、得られた撮像信号Ｓ１に対してアンプ部４においてローパスフイルタリング処理やホワイトバランス補正処理等の所定のアナログ信号処理を施した後、かくして得られたアナログ映像信号Ｓ２をアナログデイジタルコンバータ５に与える。
【００１０】
アナログデイジタルコンバータ５は、供給されるアナログ映像信号Ｓ２を出力の規格と同じ量子化ビツト数及びビツトアサインでアナログデイジタル変換し、得られたデイジタル映像信号Ｓ３を輪郭強調回路６に送出する。
【００１１】
輪郭強調回路６は、供給されるデイジタル映像信号Ｓ３に対して画像の輪郭を強調する所定の輪郭強調処理を施した後、得られた輪郭強調信号Ｓ４をニー回路６に送出する。ニー回路６は、供給される輪郭強調信号Ｓ４に対して所定レベル（例えば95〔％〕）以上の高輝度成分を圧縮処理するいわゆるニー処理を施し、得られたニー処理信号Ｓ５をガンマ補正回路８に送出する。
【００１２】
ガンマ補正回路８は、供給されるニー処理信号Ｓ５に対して所定のガンマ補正処理を施し、かくして得られたガンマ補正信号Ｓ６をレートコンバータ９及びデイジタルアナログ変換回路１０に送出する。
【００１３】
そしてレートコンバータ９は、供給されるガンマ補正信号Ｓ６のビツトレートを出力規格に応じたビツトレートに変換し、かくして得られたビツトレート変換信号Ｓ７をドライバ１１を介してデイジタル映像信号Ｓ８として外部に出力する。またデイジタルアナログ変換回路１０は、供給されるガンマ補正信号Ｓ６をデイジタルアナログ変換し、得られたアナログ映像信号Ｓ９をドライバ１２を介して外部に出力する。
【００１４】
このようなデイジタルビデオカメラ１では、ＣＣＤ３から出力される撮像信号Ｓ１を出力の規格と同じ量子化ビツト数及びビツトアサインで信号処理するため、信号処理されたデータを出力の規格に応じたビツトアサインに変換する変換手段を出力段に設ける必要がなく、またそこでの丸め誤差の発生を未然に防止し得る利点を有している。
【００１５】
一方、図６との対応部分に同一符号又は同一符号に添字「Ａ」を付して示す図７は、アナログデイジタルコンバータ２１として出力の規格よりも大きいビツト数のものを用い、出力の量子化ビツト数に対して残りのビツトをダイナミツクレンジ方向及び分解能方向に整数ビツトずつ割り振つたデイジタルビデオカメラの構成例を示すものである。
【００１６】
このデイジタルビデオカメラ２０では、アナログデイジタルコンバータ２１の構成と、レートコンバータ９及びドライバ１１間に最終出力の量子化ビツト数を規格に合わせるためのクリツプ回路２２と、必要分のデータを上位ビツトからとるための上位ビツト選択部２３とが挿入されたこととを除いて図６に示すデイジタルビデオカメラ１とほぼ同様に構成されている。
【００１７】
実際上、かかるデイジタルビデオカメラ２０において、アナログデイジタルコンバータ２１は、供給されるアナログ映像信号Ｓ２をデイジタル変換（この場合も100 〔％〕が「３ＡＣ」に変換される）する。
【００１８】
そしてこの結果レートコンバータ９からはデイジタルアナログコンバータ２１の出力に応じたビツトレート変換信号Ｓ７A が出力され、これがクリツプ回路２２に与えられる。
【００１９】
クリツプ回路２２は、供給されるビツトレート変換信号Ｓ７A のうち規格外のコードをクリツプし、得られたクリツプ信号Ｓ１０を上位ビツト選択部２３に送出する。
【００２０】
また上位ビツト選択部２３は、供給されるクリツプ信号Ｓ１０のうち、必要な上位数ビツトを選択し、これをドライバ１１を介してデイジタル映像信号Ｄ８A として外部に送出する。
【００２１】
このようなデイジタルビデオカメラ２０は、図６に示すデイジタルビデオカメラ１に比べて、クリツプ回路２２及び上位ビツト選択部２３を出力段に設ける必要がある分、装置全体としての回路規模が大きくなる欠点があるものの、デイジタル変換時におけるダイナミツクレンジを拡張し、かつ量子化誤差を低減し得る利点がある。
【００２２】
【発明が解決しようとする課題】
ところがかかるデイジタルビデオカメラ２０（図７）では、出力規格に対する残りビツトをダイナミツクレンジ方向及び分解能方向に整数ビツトずつ振り分けるため、アナログデイジタルコンバータ２１のダイナミツクレンジを出力規格の２、４、８……といつた２n （ｎ＝１、２、３……）倍にしか設定することができず、ダイナミツクレンジを最適に設定し得ないことがあつた。
【００２３】
実際上、例えばＣＣＤ３のダイナミツクレンジ600 〔％〕に対して、アナログデイジタルコンバータ２１のダイナミツクレンジが400 〔％〕では当該ＣＣＤ３のダイナミツクレンジを全て生かすことができず、800 〔％〕ではダイナミツクレンジが大き過ぎる。そしてデイジタルビデオカメラにおいて、ダイナミツクレンジを多めにとることは、分解能方向に割り振るビツト数を無駄にすることとなる。
【００２４】
かかる問題を解決する１つの方法として、従来、図６に示すアナログデイジタルコンバータ５のダイナミツクレンジをＣＣＤ３のダイナミツクレンジに合わせて設定する方法がある。図６との対応部分に同一符号又は同一符号に添字「Ｂ」を付して示す図８は、このようなデイジタルビデオカメラの構成例を示すものである。
【００２５】
かかる構成のデイジタルビデオカメラ３０においては、ＣＣＤ３からアンプ部４を介してアナログデイジタルコンバータ３１に与えられるアナログ映像信号Ｓ２を、当該アナログデイジタルコンバータ３１において、例えば図９に示すようにアナログ映像信号Ｓ２のダイナミツクレンジの最大値（600 〔％〕）が最大値（ＦＦＦｈ）となるようにデイジタル変換する。ただしこの図９ではアナログデイジタルコンバータ３１が12ビツトであるものとする。
【００２６】
このアナログデイジタルコンバータ３１から出力されるデイジタル映像信号Ｓ３B は、輪郭強調回路６、ニー回路７及びガンマ補正回路８においてそれぞれ輪郭強調処理、ニー処理又はガンマ補正処理が順次施される。そして得られたガンマ補正信号Ｓ６B がレートコンバータ９において出力の規格に応じたビツトレートに変換され、ビツトレート変換信号Ｓ７B としてクリツプ回路３２に与えられる。
【００２７】
クリツプ回路３２は、図７に示すデイジタルビデオカメラ２０のクリツプ回路２２と同様に、供給されるビツトレート変換信号Ｓ７B のうちの出力の規格外のコードをクリツプし、得られたクリツプ信号Ｓ１０B を掛算回路３３に送出する。
【００２８】
掛算回路３３は、供給されるクリツプ信号Ｓ１０B に対して図示しない係数供給源から与えられる所定の係数ｋを掛算することにより、当該クリツプ信号Ｓ１０B のビツトアサインを規格に合わせ（すなわち図９において、100 〔％〕の信号のレベルを「２Ｅ０」から「３ＡＣ」に合わせる）、かくして得られたデイジタル映像信号Ｓ８B をドライバ１１を介して外部に送出する。
【００２９】
そしてこのようなデイジタルビデオカメラ３０は、アナログデイジタルコンバータ３１から出力されるデイジタル映像信号Ｓ３B のダイナミツクレンジをＣＣＤ３に応じて最適な値に設定することができる利点を有している。
【００３０】
ところがかかる構成のデイジタルビデオカメラ３０においては、掛算回路３３に与える係数ｋが複雑な値となるために掛算回路３３の回路規模が大きくなり、またまたむやみな掛算が丸め誤差を増大させる問題があつた。
【００３１】
従つてデイジタルビデオカメラにおいて、例えばデイジタル変換時のダイナミツクレンジを出力規格の２n （ｎ＝１、２、３、……）以外の倍率に設定でき、またこのとき複数な係数の掛算処理を行うことなくデイジタル映像出力のビツトアサインを出力規格のビツトアサインに変換して出力し得るようにすることができれば、図７の方法と合わせてアナログデイジタルコンバータのダイナミツクレンジ及び分解能の設定の選択肢を拡大させることができ、その分ダイナミツクレンジ及び分解能を簡易な構成でより最適化し得るようにすることができるものと考えられる。
【００３２】
本発明は以上の点を考慮してなされたもので、ダイナミツクレンジ及び分解能を最適化し得るようにすることができる簡易な構成のビデオカメラ装置を提案しようとするものである。
【００３３】
【課題を解決するための手段】
かかる課題を解決するため本発明においては、ビデオカメラ装置において、所定の信号処理が施されたデイジタル映像信号を所定ビツトだけビツトシフトして元の所定の信号処理が施されたデイジタル映像信号に加算して出力する加算手段を設けるようにした。
【００３４】
この結果このビデオカメラ装置では、信号処理が施されたデイジタル映像信号のビツトアサインを加算手段において次式
【数１】
0003846655.tif 000002
倍（ただしｍは、ビツトシフトしたビツト数）に変換することができるため、アナログデイジタル変換手段によるデイジタル変換時のビツトアサインとして規格の（１）式の逆数倍のビツトアサインを選択することができる。
【００３５】
そしてこのことは、デイジタル変換時におけるダイナミツクレンジとして、規格の次式
【数２】
0003846655.tif 000003
倍（ただしｎは、デイジタル変換時における規格の量子化ビツト数に対する残りのビツト数のうち、ダイナミツクレンジ方向に振り分けられたビツト数）を選択できることを意味し、この結果アナログデイジタル変換手段のビツトアサインの自由度を高めて設定の選択肢を拡大させることができる。
【００３６】
【発明の実施の形態】
以下図面について、本発明の一実施の形態を詳述する。
【００３７】
（１）第１の実施の形態
（１−１）第１の実施の形態によるデイジタルビデオカメラの構成
図７との対応部分に同一符号又は同一符号に添字「Ａ」に代えて添字「Ｃ」を付して示す図１は、第１の実施の形態によるデイジタルビデオカメラ４０を示し、アナログデイジタルコンバータ４１の構成と、クリツプ回路２２及び上位ビツト選択部２３間にビツトシフト部４２及び加算回路４３が挿入された点とを除いてデイジタルビデオカメラ２０（図７）とほぼ同様に構成されている。
【００３８】
すなわちこのデイジタルビデオカメラ４０の場合、アナログデイジタルコンバータ４１は、出力規格の量子化ビツト数よりも大きいビツト数のアナログデイジタルコンバータでなり、アンプ部４から供給されるアナログ映像信号Ｓ２を所定のビツトアサインでデイジタル変換し、得られたデイジタル映像信号Ｓ３C を輪郭強調回路６に送出する。
【００３９】
この輪郭強調回路６に送出されたデイジタル映像信号Ｓ３C は、この後この輪郭強調回路６、ニー回路７、ガンマ補正回路８、レートコンバータ９及びクリツプ回路２２においてそれぞれ輪郭強調処理、ニー処理、ガンマ補正処理、ビツトレート変換処理及びクリツプ処理が順次施された後、クリツプ信号Ｓ１０C としてビツトシフト部４２及び加算回路４３に送出される。
【００４０】
ビツトシフト部４２は、供給されるクリツプ信号Ｓ１０C を順次１ビツトだけＬＳＢ（Least Significant Bit ）側にビツトシストし、得られたビツトシフト信号Ｓ２０を加算回路４３に送出する。
【００４１】
加算回路４３は、図２に示すように、供給されるクリツプ信号Ｓ１０C 及びビツトシフト信号Ｓ２０を順次加算し、得られた加算信号Ｓ２１を上位ビツト選択部２３に送出する。
【００４２】
この場合このようにデータを１ビツトだけＬＳＢ側にずらしてこれを元のデータに加算することは、元のデータを1.5 倍することを意味し、従つて上位ビツト選択部２３にはクリツプ信号Ｓ１０C を1.5 倍してなる加算信号Ｓ２１が与えられる。
【００４３】
そして上位ビツト選択部２３は、供給される加算信号Ｓ２１のうち、出力規格に応じた上位数ビツトを選択し、これをドライバ１１を介してデイジタル映像信号Ｓ８C として外部に送出する。
【００４４】
（１−２）第１の実施の形態の動作及び効果
以上の構成において、このデイジタルビデオカメラ４０では、ＣＣＤ３からアンプ部４を介してアナログデイジタルコンバータ４１に与えられるアナログ映像信号Ｓ２を当該アナログデイジタルコンバータ４１においてアナログデイジタル変換し、かくして得られたデイジタル映像信号Ｓ３C に対して輪郭強調回路６、ニー回路６、ガンマ補正回路７、ビツトレート変換回路９及びクリツプ回路２２において順次所定の信号処理を施した後、得られたクリツプ信号Ｓ１０C をビツトシフト部４２及び加算回路４３により1.5 倍し、かくして得られた加算信号Ｓ２１のうちの上位数ビツトを上位ビツト選択部２３において選択し、これをドライバ１１を介してデイジタル映像信号Ｓ８C として外部に出力する。
【００４５】
この場合このデイジタルビデオカメラ４０では、上述のようにビツトシフト部４２及び加算回路４３においてクリツプ信号Ｓ１０C を1.5 倍する補正処理を経てデイジタル出力（デイジタル映像信号Ｓ８C ）のビツトアサインを出力規格のビツトアサインに合わせているため、アナログデイジタルコンバータ４１によるデイジタル変換時のビツトアサインを出力規格のビツトアサインの次式
【数３】
0003846655.tif 000004
倍に設定することができる。なおｎは、アナログデイジタル変換時における出力規格に対する残りのビツトのうちのダイナミツクレンジ方向に振り分けられたビツト数を表す。そしてこのことは、アナログデイジタルコンバータ４１のダイナミツクレンジを（３）式倍に設定できることを意味する。
【００４６】
従つてこのような方法と、図７に示す従来の方法とにより、アナログデイジタルコンバータ４１のダイナミツクレンジとして出力規格の1.5 、２、３、４、６、８……といつた２n 倍及び（３）式倍のなかから所望の倍率を選択でき、その分最適なダイナミツクレンジを選択し得るようにすることができる。
【００４７】
またこのデイジタルビデオカメラ４０は、図７のデイジタルビデオカメラ２０にビツトシフト部４２及び加算回路４３を付加しただけの構成であり、しかもビツトシフト部４２は実際上クリツプ回路２２と加算回路４３を繋ぐ配線を１ビツトだけＬＳＢ側にずらして接続することによつて実現できるため、例えば図８のデイジタルビデオカメラ３０のように複雑な係数の掛算処理を行う掛算回路３３を設ける場合に比べて構成を格段的に簡易化することができる。
【００４８】
以上の構成によれば、デイジタルビデオカメラ４０の出力段にビツトシフト部４２及び加算回路４３を設け、これらビツトシフト部４２及び加算回路４３により所定の信号処理が施されたデイジタル映像信号Ｓ３C （クリツプ信号Ｓ１０C ）を1.5 倍するビツトアサインの変換処理を経て外部に出力するデイジタル映像信号Ｓ８C のビツトアサインを出力規格のビツトアサインに合わせるようにしたことにより、アナログデイジタルコンバータ４１によるデイジタル変換のダイナミツクレンジとして出力規格の1.5 、３、６、……倍を選択し得るようにすることができ、かくしてダイナミツクレンジ及び分解能の割り振りを最適化させ得る簡易な構成のデイジタルビデオカメラを実現できる。
【００４９】
（２）第２の実施の形態
（２−１）第２の実施の形態によるデイジタルビデオカメラの構成
図１との対応部分に同一符号又は同一符号に添字「Ｃ」に代えて添字「Ｄ」を付して示す図３は、第２の実施の形態によるデイジタルビデオカメラ５０を示し、アナログデイジタルコンバータ４１の前段にアナログ映像信号Ｓ２の所定レベル以上の高輝度成分を圧縮処理する圧縮手段としてのプリニー回路５１が設けられている点を除いて第１の実施の形態によるデイジタルビデオカメラ４０（図１）と同様に構成されている。
【００５０】
すなわちこのデイジタルビデオカメラ５０においては、ＣＣＤ３からアンプ部４を介してプリニー回路５１に与えられるアナログ映像信号Ｓ２に対して当該プリニー回路５１においてニー処理を施すことにより、これをダイナミツクレンジが次式
【数４】
0003846655.tif 000005
程度のプリニー信号Ｓ３０に変換し、これをアナログデイジタルコンバータ４１に送出する。ただしｎは、デイジタル変換時における出力規格に対する残りのビツトのうちのダイナミツクレンジ方向に振り分けられたビツト数を表すものとする。
【００５１】
アナログデイジタルコンバータ４１は、供給されるプリニー信号Ｓ３０を出力規格のビツトアサインの（３）式倍のビツトアサインでアナログデイジタル変換し、得られたデイジタル映像信号Ｓ３D を輪郭強調回路６に送出する。
【００５２】
そしてこの輪郭強調回路６に送出されたデイジタル映像信号Ｓ３D は、この後上述のデイジタルビデオカメラ４０（図１）におけるデイジタル映像信号Ｓ３C （図１）と同様の信号処理が順次施され、最終的にドライバ１１又はドライバ１２を介してデイジタル映像信号Ｓ８D 及びアナログ映像信号Ｓ９D として外部に出力される。
【００５３】
ここでこのデイジタルビデオカメラ５０において、例えば図４に示すように、プリニー回路５１を、供給される600 〔％〕のダイナミツクレンジを有するアナログ映像信号Ｓ２に対して200 〔％〕（実際は260 〔％〕）以上を１／４に圧縮するニー処理を施すように設定した場合、アナログデイジタルコンバータ４１には300 〔％〕（実際は343.3 〔％〕）のダイナミツクレンジを有するプリニー信号Ｓ３０が与えられる。
【００５４】
そして例えばこのプリニー信号Ｓ３０を12ビツトのアナログデイジタルコンバータを用いてアナログデイジタル変換する際、出力規格の２倍のダイナミツクレンジではプリニー信号Ｓ３０のダイナミツクレンジに対して不足し、４倍ではダナミツクレンジが多すぎることとなる。
【００５５】
これに対してこのデイジタルビデオカメラ５０では、例えば出力規格（10ビツトとする）に対する残り２ビツトをダイナミツク方向及び分解能方向にそれぞれ１ビツトずつ振り分けることによつて、アナログデイジタルコンバータ４１のダイナミツクレンジをプリニー信号Ｓ３０に対して最適な状態に設定することができ、ＣＣＤ３のダイナミツクレンジを全て有効に生かすことができる。またこのときダイナミツクレンジを４倍にしたときよりも分解能方向に0.5 ビツト分多く使用できるため、量子化誤差を３〔dB〕改善することができる。
【００５６】
（２−２）第２の実施の形態の動作及び効果
以上の構成において、このデイジタルビデオカメラ５０では、ＣＣＤ３からアンプ部４を介して出力されるダイナミツクレンジを有するアナログ映像信号Ｓ２をプリニー回路５１において（４）式程度のダイナミツクレンジを有するプリニー信号Ｓ３０に変換し、この後このプリニー信号Ｓ３０を出力規格のビツトアサインの（３）式倍のビツトアサインでデイジタル変換する。
【００５７】
そしてこの後かくして得られたデイジタル映像信号Ｓ３D に対して、輪郭強調回路６、ニー回路７、ガンマ補正回路８、レートコンバータ９及びクリツプ回路２２において順次輪郭強調処理、ニー処理、ガンマ補正処理、ビツトレート変換処理及びクリツプ処理を順次施した後、得られたクリツプ信号Ｓ１０D をビツトシフト部４２及び加算回路４３により1.5 倍し、得られた加算信号Ｓ２１D のうちの上位数ビツトを上位ビツト選択部２３において選択し、これをドライバ１１を介してデイジタル映像信号Ｓ８D として外部に出力する。
【００５８】
従つてこのデイジタルビデオカメラ５０では、アナログデイジタルコンバータ４１のダイナミツクレンジを最適化することができると共に、ＣＣＤ３のダイナミツクレンジを最大限有効に利用することができる。
【００５９】
以上の構成によれば、第１の実施の形態のデイジタルビデオカメラ４０（図１）におけるアナログデイジタルコンバータ４１の前段にプリニー回路５１を配置するようにしたことにより、アナログデイジタルコンバータ４１のダイナミツクレンジを最適化し、かつＣＣＤ３のダイナミツクレンジを最大限有効に利用することができるデイジタルビデオカメラを実現できる。
【００６０】
（３）他の実施の形態
なお上述の第１及び第２の実施の形態においては、本発明を例えばＳＭＰＴＥ２５９Ｍ規格に対応したデイジタルビデオカメラに適用するようにした場合について述べたが、本発明はこれに限らず、要は、撮像手段（ＣＣＤ又はこれ以外のもの）の出力に基づくアナログ映像信号を所定の規格よりも多い量子化数でアナログデイジタル変換し、得られたデイジタル映像信号を所定の信号処理を施した後、所定の信号処理が施されたデイジタル映像信号をそのビツトアサインを規格に応じたビツトアサインに変換して出力するようになされたこの他種々のビデオカメラ装置に広く適用することができる。
【００６１】
また上述の第１及び第２の実施の形態においては、アナログデイジタル変換手段としてのアナログデイジタルコンバータ４１から出力されるデイジタル映像信号Ｓ３C 、Ｓ３D に所定の信号処理を施す信号処理手段を、輪郭強調回路６、ニー回路７、ガンマ補正回路８、レートコンバータ９及びクリツプ回路２２により構成するようにした場合について述べたが、本発明はこれに限らず、信号処理手段の構成としてはこの他種々の構成を適用できる。
【００６２】
さらに上述の実施の形態においては、ビツトシフト部４２が１ビツトだけクリツプ信号Ｓ１０C 、Ｓ１０D をビツトシフトするようにした場合について述べたが、本発明はこれに限らず、１ビツト以上ビツトシフトするようにビツトシフト部４２を形成するようにしても良い。
【００６３】
この場合クリツプ信号Ｓ１０C 、Ｓ１０D をｍビツトシフトさせた後、これを元のクリツプ信号Ｓ１０C 、Ｓ１０D に加算することは、当該元のクリツプ信号Ｓ１０C 、Ｓ１０D を（１）式倍することを意味する。
従つてこのようにすることによつて、アナログデイジタルコンバータ４１によるデイジタル変換時のビツトアサインを出力規格の（２）式倍に設定し得るようにすることができる。
【００６４】
さらに上述の第１及び第２の実施の形態においては、所定の信号処理が施されたデイジタル映像信号Ｓ３C 、Ｓ３D （すなわちクリツプ信号Ｓ１０C 、Ｓ１０D ）を所定ビツトだけビツトシフトした後、元の所定の信号処理が施されたデイジタル映像信号Ｓ３C 、Ｓ３D に加算する加算手段を、ビツトシフト部４２及び加算回路４３により構成するようにした場合について述べたが、本発明はこれに限らずこの他種々の構成を適用できる。
【００６５】
【発明の効果】
上述のように本発明によれば、ビデオカメラ装置において、アナログ映像信号を所定の規格よりも多い量子化数のデイジタル映像信号にアナログデイジタル変換するアナログデイジタル変換手段と、所定の信号処理が施されたデイジタル映像信号を所定ビツトだけビツトシフトして元の所定の信号処理が施されたデイジタル映像信号に加算して出力する加算手段とを設けるようにしたことにより、複雑な係数の掛算処理を必要とすることなく、アナログデイジタルコンバータのダイナミツクレンジ及び分解能の設定の選択肢を拡大させることができ、かくしてダイナミツクレンジ及び分解能を最適化し得るようにすることができる簡易な構成のビデオカメラ装置を実現できる。
【図面の簡単な説明】
【図１】第１の実施の形態によるデイジタルビデオカメラの構成を示すブロツク図である。
【図２】加算回路における加算処理の説明に供する概念図である。
【図３】第２の実施の形態によるデイジタルビデオカメラの構成を示すブロツク図である。
【図４】第２の実施の形態によるデイジタルビデオカメラのビツトアサインの説明に供する概念図である。
【図５】ＳＭＰＴＥ  ２５９Ｍ規格のビツトアサインの説明に供する概念図である。
【図６】デイジタルビデオカメラの構成例を示すブロツク図である。
【図７】デイジタルビデオカメラの構成例を示すブロツク図である。
【図８】デイジタルビデオカメラの構成例を示すブロツク図である。
【図９】ＣＣＤのダイナミツクレンジを基準としたビツトアサインの説明に供する概念図である。
【符号の説明】
３……ＣＣＤ、６……輪郭強調回路、７……ニー回路、８……ガンマ補正回路、９……レートコンバータ、２２……クリツプ回路、４０、５０……デイジタルビデオカメラ、４１……アナログデイジタルコンバータ、４２……ビツトシフト部、４３……上位ビツト選択部、５１……プリニー回路、Ｓ１……撮像信号、Ｓ２……アナログ映像信号、Ｓ３C 、Ｓ３D 、Ｓ８C 、Ｄ８D ……デイジタル映像信号、Ｓ１０C 、Ｓ１０D ……クリツプ信号、Ｓ２０、Ｓ２０D ……ビツトシフト信号、Ｓ２１、Ｓ２１D ……加算信号。
【図１】
0003846655.tif 000006
【図２】
0003846655.tif 000007
【図４】
0003846655.tif 000008
【図３】
0003846655.tif 000009
【図５】
0003846655.tif 000010
【図９】
0003846655.tif 000011
【図６】
0003846655.tif 000012
【図７】
0003846655.tif 000013
【図８】
0003846655.tif 000014